(57)【要約】【課題】天井板の開口に照明器具を迅速かつ容易に取付けることのできる埋込型取付装置を提供する。【解決手段】埋込型取付装置１は、縁部材２１を下端に設けた支持体５と、先端５１を縁部材２１に近接させる方向へ旋回できるスイングアーム１１と、スイングアーム１１を旋回させる力を発生する付勢手段と、スイングアーム１１の旋回を規制する保持手段と、天井板１７に接触することに基づき保持手段の規制からスイングアーム１１を解放するトリガー１５とを備える。支持体５が天井板１７の開口１９に挿入される過程で、トリガー１５が天井板１７に接触し、スイングアーム１１が旋回することにより、縁部材２１とスイングアーム１１との間に天井板１７を挟むことができる。【選択図】図６
2010165628.tif 000002
【特許請求の範囲】
【請求項１】
天井板に形成された開口に照明器具を設けるための埋込型取付装置であって、
前記天井板の開口の周縁に掛止される縁部材を下端に設け、前記照明器具の取付けができる支持体と、
前記縁部材の上方へ先端を向ける起立姿勢から前記先端を前記支持体の外方へ突出する向きに旋回できるように、前記支持体に支持されたスイングアームと、
前記スイングアームを旋回させる力を発生する付勢手段と、
前記スイングアームの旋回を規制することにより前記スイングアームを起立姿勢に保持する保持手段と、
前記天井板に接触することに基づき前記スイングアームを前記保持手段から解放するトリガーとを備え、
前記支持体が前記天井板の開口に挿入される過程で、前記トリガーに前記天井板が接触し、前記スイングアームが旋回することにより、前記縁部材と前記スイングアームとの間に前記天井板を挟むことを特徴とする埋込型取付装置。
【請求項２】
天井板に形成された開口に照明器具を設けるための埋込型取付装置であって、
前記天井板の開口の周縁に掛止される縁部材を下端に設け、前記照明器具の取付けができる支持体と、
前記支持体に第１のピンを介して後端が連結され、前記第１のピンを支点に、前記縁部材の上方へ先端を向ける起立姿勢から前記先端を前記支持体の外方へ突出する向きに旋回できるスイングアームと、
前記第１のピンの上方に配置され、前記支持体に昇降自在に取付けられたスライダーと、
前記スライダーを押し下げる力を発生するスプリングと、
前記スイングアームの途中に第２のピンを介して下端が連結され、前記スライダーに上端が連結され、前記スプリングの力を前記スイングアームに伝達するコネクチングロッドと、
前記スイングアームに係合する爪部を有し、前記支持体の外方へ延出する姿勢で前記第１のピンに回動自在に支持されたトリガーとを備え、
前記スイングアームが起立姿勢をとるとき、前記第２のピンが前記コネクチングロッドに対してデッドポイントに位置し、
前記支持体が前記天井板の開口に挿入される過程で、前記トリガーが前記天井板に接触することにより旋回し、前記スイングアームが前記トリガーに従って前記第２のピンが前記デッドポイントから外れる位置まで旋回したところで、前記スプリングの力で前記スイングアームを旋回させることにより、前記スイングアームの先端と前記縁部材との間に前記天井板を挟むことを特徴とする埋込型取付装置。
【請求項３】
前記スライダーに逆止爪を設け、前記支持体に前記逆止爪を係合することにより、前記スライダーの上昇を規制することを特徴とする請求項２に記載の埋込型取付装置。
【発明の詳細な説明】
【技術分野】
【０００１】
本発明は、天井板に形成された開口に埋め込まれ、照明器具を取付けることができる埋込型取付装置に関する。
【背景技術】
【０００２】
従来、天井板に形成された開口に照明器具を設けるには、照明器具の取付けのできる支持体を天井の開口に挿入し、支持体を天井板に固定することにより行っている。支持体を天井板に固定する作業は、その作業者が天井に手を延ばして行わなければならないので、作業者に負担を強いることになる。また、下記の特許文献は、天井板の開口に照明器具を取付ける構造を開示している。
【先行技術文献】
【特許文献】
【０００３】
【特許文献１】実用新案登録第３１０５４７２号公報
【発明の概要】
【発明が解決しようとする課題】
【０００４】
本発明の目的とするところは、天井板の開口に照明器具を迅速かつ容易に取付けることのできる埋込型取付装置を提供することにある。
【課題を解決するための手段】
【０００５】
本発明は上記目的を達成するため、天井板に形成された開口に照明器具を設けるための埋込型取付装置であって、前記天井板の開口の周縁に掛止される縁部材を下端に設け、前記照明器具の取付けができる支持体と、前記縁部材の上方へ先端を向ける起立姿勢から前記先端を前記支持体の外方へ突出する向きに旋回できるように、前記支持体に支持されたスイングアームと、前記スイングアームを旋回させる力を発生する付勢手段と、前記スイングアームの旋回を規制することにより前記スイングアームを起立姿勢に保持する保持手段と、前記天井板に接触することに基づき前記スイングアームを前記保持手段から解放するトリガーとを備え、前記支持体が前記天井板の開口に挿入される過程で、前記トリガーに前記天井板が接触し、前記スイングアームが旋回することにより、前記縁部材と前記スイングアームとの間に前記天井板を挟むことを特徴とする。
【０００６】
また、本発明は、天井板に形成された開口に照明器具を設けるための埋込型取付装置であって、前記天井板の開口の周縁に掛止される縁部材を下端に設け、前記照明器具の取付けができる支持体と、前記支持体に第１のピンを介して後端が連結され、前記第１のピンを支点に、前記縁部材の上方へ先端を向ける起立姿勢から前記先端を前記支持体の外方へ突出する向きに旋回できるスイングアームと、前記第１のピンの上方に配置され、前記支持体に昇降自在に取付けられたスライダーと、前記スライダーを押し下げる力を発生するスプリングと、前記スイングアームの途中に第２のピンを介して下端が連結され、前記スライダーに上端が連結され、前記スプリングの力を前記スイングアームに伝達するコネクチングロッドと、前記スイングアームに係合する爪部を有し、前記支持体の外方へ延出する姿勢で前記第１のピンに回動自在に支持されたトリガーとを備え、前記スイングアームが起立姿勢をとるとき、前記第２のピンが前記コネクチングロッドに対してデッドポイントに位置し、前記支持体が前記天井板の開口に挿入される過程で、前記トリガーが前記天井板に接触することにより旋回し、前記スイングアームが前記トリガーに従って前記第２のピンが前記デッドポイントから外れる位置まで旋回したところで、前記スプリングの力で前記スイングアームを旋回させることにより、前記スイングアームの先端と前記縁部材との間に前記天井板を挟むことを特徴とする。
【０００７】
また、本発明は、前記スライダーに逆止爪を設け、前記支持体に前記逆止爪を係合することにより、前記スライダーの上昇を規制することを特徴とする。
【発明の効果】
【０００８】
本発明に係る埋込型取付装置によれば、支持体を天井板に固定する手間を省略することができる。しかも、支持体を天井板に位置決めするための金具類が不要であり、ボルト等の締付けを行わなくて済むので、天井板の開口に照明器具を迅速かつ容易に取付けることができる。
【図面の簡単な説明】
【０００９】
【図１】本発明の実施形態に係る埋込型取付装置に適用した支持体の使用例を示す分解斜視図。
【図２】本発明の実施形態に係る埋込型取付装置に適用した動作部の一の要部の分解斜視図。
【図３】本発明の実施形態に係る埋込型取付装置に適用した動作部の他の要部の分解斜視図。
【図４】本発明の実施形態に係る埋込型取付装置の施工の開始を示す動作部の破断側面図。
【図５】本発明の実施形態に係る埋込型取付装置の施工の過程を示す動作部の破断側面図。
【図６】本発明の実施形態に係る埋込型取付装置の施工の完了を示す動作部の破断側面図。
【発明を実施するための形態】
【００１０】
本発明の実施形態に係る埋込型取付装置を図面に基づき説明する。図中の埋込型取付装置を構成する要素は、その寸法と形状を説明の便宜により定めたものであり、埋込型取付装置は図示の形態に限定されるものではない。
【００１１】
図１〜図３は、埋込型取付装置１の動作部３を構成する支持体５、スライダー７、スプリング９、スイングアーム１１、コネクチングロッド１３、及びトリガー１５を表している。図１は、天井板１７に形成された開口１９に、その下方から支持体５を挿入する例を示している。図２，３は、図１に表れた３本の支持体５のそれぞれの内側に設けられた動作部３の要素を、２つの図面に分けて表している。図面は以下で特に断らない限り図１〜図３を参照する。
【００１２】
天井板１７の開口１９の周縁に掛止される縁部材２１が３本の支持体５の下端に接合されている。個々の支持体５は、側面口２３を有する曲折鋼板の上端に、挿通孔２５を有する円板２７を接合したものである。例えば、挿通孔２５に挿通させたソケット２９を円板２７に固定し、ソケット２９に電球等の照明器具３１を取付けることができる。更に、個々の支持体５は、それぞれの内側に支持片３３，３５，３７，３９を突出している。支持片３３にはスリット４１が形成され、支持片３３，３５をガイドロッド４３が貫いている。ガイドロッド４３は、その上端を支持片３７に突き当て、ガイドロッド４３に形成した拡径部４５が支持片３５に係合している。
【００１３】
スイングアーム１１は、その後端に形成された軸孔４７に挿通される第１のピン４９を介して支持片３９に連結し、第１のピン４９を支点に矢印Ｒ，Ｆで指した向きに旋回できる。矢印Ｆで指した向きを以下で「動作方向」と記す。スイングアーム１１の先端５１は平らに成形されている。スイングアーム１１の長手方向の途中には軸孔５３が形成されている。トリガー１５は、長孔５５を形成された長方形の小片に爪部５７を設けたレーバーである。第１のピン４９は、スイングアーム１１の軸孔４７と共にトリガー１５の長孔５５に挿通されており、トリガー１５は第１のピン４９を支点に、スイングアーム１１と同じ方向に旋回できる。
【００１４】
スライダー７は、一側片５９と他側片６１とを有する門型金具であり、第１のピン４９よりも高い位置でガイドロッド４３によって昇降自在に案内される。他側片６１は支持片３３のスリット４１に挿通され、複数の逆止爪６５が鋸歯状に形成されている。スプリング９は、スライダー７と支持片３５との間でガイドロッド４３の周りに配置され、スライダー７を下方へ押す力を発生する圧縮コイルばねである。
【００１５】
コネクチングロッド１３は、その下端と上端に軸孔６７，６９を各々形成している。スイングアーム１１とコネクチングロッド１３とは、軸孔５３，６７を貫く第２のピン７１を介して、互いに回動自在に連結している。コネクチングロッド１３の上端は、軸孔６９に挿通される第３のピン７３を介して、スライダー７の一側片５９に連結されている。上記のスプリング９の力は、コネクチングロッド１３を介してスイングアーム１１に伝達される。
【００１６】
第１〜第３のピン４９，７１，７３としてリベット等を適用しても良い。ここまでに述べた要素が動作部３を構成し、その組立図が図４に示されている。符号７５は、電球等が内装されたリフレクターを指している。
【００１７】
埋込型取付装置１を施工する手順を以下で説明する。先ずは天井板１７に開口１９を形成する。或いは既成の開口１９を有する天井板を準備する。開口１９の直径は、支持体５の円板２７よりも大きく、かつ縁部材２１よりも小さければ良い。
【００１８】
図４に示すように、スイングアーム１１が起立姿勢をとるとき、第２のピン７１は、コネクチングロッド１３に対してデッドポイントに位置する。ここで、デッドポイントとは、第１及び第２のピン４９，７１が厳密にコネクチングロッド１３の長手方向に一列をなすことに限らず、第１のピン４９が上記のデッドポイントよりも矢印Ｒ方向へ旋回、言い換えると動作方向を僅かに逆行した位置まで後退しても良い。この場合、スイングアーム１１が動作方向を逆行できる限界を規定するストッパー７７をコネクチングロッド１３に設ける。
【００１９】
続いて、作業者はトリガー１５を水平な姿勢にして支持体５の外方へ延出させ、トリガー１５の爪部５７をスイングアーム１１に係合させる。作業者が埋込型取付装置１を手持ちし、天井板１７の開口１９の真下から埋込型取付装置１を上昇させることにより、支持体５を開口１９へ挿入する。この過程で、図５に示すように、トリガー１５に天井板１７の開口１９の周縁が接触し、トリガー１５が天井板１７から外力を受けて動作方向へ旋回する。同時に、スイングアーム１１がトリガー１５に従って動作方向へ旋回し、第２のピン７１が上記のデッドポイントを外れたところで、スイングアーム１１がスプリング９の力を受けて動作方向へ急速に旋回する。これにより、図６に示すように、スイングアーム１１の先端５１が天井板１７に近接し、スイングアーム１１の先端５１と縁部材２１との間に天井板１７を挟むことができる。
【００２０】
以上の手順で施工が完了するので、埋込型取付装置１によれば、支持体５を天井板１７に固定する作業を特段行う必要がなく、天井板１７の開口１９に照明器具３１を迅速かつ容易に取付けることができる。しかも、埋込型取付装置１は、支持体５を天井板１７に位置決めするための金具類が不要であり、ボルト等の締付けを行わなくて済むという利点がある。
【００２１】
また、上記のようにスイングアーム１１が動作方向へ旋回する動作は、スライダー７が下降するのに従って進行する。この過程で、他側片６１の逆止爪６５はスリット４１の口縁に滑り接触するが、図６に表したスライダー７に上向きの外力が加わると、逆止爪６５がスリット４１の口縁に係合する。これによりスライダー７の上昇が規制されるので、先端５１を天井板１７に近接させたスイングアーム１１が、矢印Ｒ方向へ不用意に戻ることはない。この効果は、複数の逆止爪６５のうち何れかがスリット４１の口縁に係合すれば良く、天井板１７と厚みの異なる天井板に埋込型取付装置１を取付ける場合にも達成される。
【００２２】
埋込型取付装置１を天井板１７から取り外す場合、作業者が指で他側片６１を逆止爪６５がスリット４１の口縁から離脱する方向へ押付け、スプリング９の力に抗してスイングアーム１１を矢印Ｒ方向へ旋回させる。これにより、スイングアーム１１が起立姿勢となり、第２のピン７１が上記のデッドポイントに達したところで、埋込型取付装置１は図４に表した状態に復帰する。この後、作業者が埋込型取付装置１を下降させるだけで、埋込型取付装置１を直ちに天井板１７から取り外すことができる。
【００２３】
尚、本発明は、その趣旨を逸脱しない範囲で当業者の知識に基づいて種々なる改良、修正、又は変形を加えた態様でも実施できる。例えば、図２，３に示すスライダー７とスプリング９とコネクチングロッド１３とは、スイングアーム１１を動作方向へ旋回させる力を発生する付勢手段７９を構成するが、スプリング９として竹の子ばね等を適用しても良い。また、コネクチングロッド１３と第１及び第２のピン４９，７１とは、起立姿勢をとるスイングアーム１１の旋回を規制する保持手段８１を構成するが、これらの全長、又は第１〜第３のピン４９，７１，７３の配置は適宜に変更できるものである。縁部材２１は必ずしも環形でなくて良い。また、埋込型取付装置１は２つ以上の動作部３を備えることが好ましい。
【符号の説明】
【００２４】
１…埋込型取付装置、５…支持体、７…スライダー、９…スプリング、１１…スイングアーム、１３…コネクチングロッド、１５…トリガー、１７…天井板、１９…開口、３１…照明器具、４９…第１のピン、５１…先端、５７…爪部、６５…逆止爪、７１…第２のピン、７９…付勢手段、８１…保持手段。
【図１】
2010165628.tif 000003
【図２】
2010165628.tif 000004
【図３】
2010165628.tif 000005
【図４】
2010165628.tif 000006
【図５】
2010165628.tif 000007
【図６】
2010165628.tif 000008